(57)【要約】      （修正有）【課題】手軽で携帯に便利で安全な鋏を提供する。【解決手段】開き止め金物５を移動して止め金部分６を外し鋏を開き、筆記具１を親指以外の四本の指で握り、上部握把８を親指で押さえる様にして使用する、又収納は上部握把８を親指で押さえ開き止め金物５を上部握把８の幅の広い所まで移動し開き止め金物５の止め金部分６を掛ける。【選択図】図８
0003100637.tif 000002
【実用新案登録請求の範囲】
【請求項１】
キャップ鋏は筆記具（１）の筆記具キャップ（２）に鋏取り付け金具（３）（４）にて取り付けて、筆記具を鋏の下部握把（９）の補助具として兼ね、筆記具（１）を親指異外の四本の指で握り、上部握把（８）を親指で押さえる様にして使用する構造。
【請求項２】
開き止め金物（５）は握把（８）（９）に沿って移動するもので、上部握把（８）の幅の細い部分まで移動すると開き止め金物（５）の止め金部分（６）の止め金がはずれて、板スプリング（１１）により開くので上記の様に使用出来る物であって、収納時は上部握把（８）を親指で押さえて閉じ、開き止め金物（５）を止め金部分（６）が掛かる上部握把（８）の幅の広い部分まで移動する事で安易に収納出来る、開き止め金物（５）と止め金部分（６）の構造。
【請求項３】
キャップ鋏は刃先（７）の部分と、握把（８）（９）を、かしめ穴（７）近くで、握把部分を９０度捻り平面の所に板スプリング（１１）を取り付けると握把（８）（９）は開き、握把（８）を親指で握ると握把（８）（９）は平行となり、開き止め金物（５）が簡単に移動出来て止め金部分（６）を操作する事が出来るもので、鋏の刃先（７）と握把（８）（９）を９０度捻る構造。
【請求項４】
キャップ鋏は鋏取り付け金具（３）（４）によってキャップ（２）に取り付けられ、鋏取り付け金具（３）（４）はキャップ（２）に曲げ加工をするので、ある程度のスプリング効果が有り少し指で摘まむと、どの筆記具キャップ（２）にも脱着容易で、どの筆記具にも利用出来る構造。
【請求項５】
キャップ鋏の刃先（７）は丸型にして人体や着衣の損傷、その他携態に安全な危険防止をした構造。
【請求項６】
キャップ鋏の上部握把（８）は筆記具（１）を胸ポケットに挿したとき上部握把（８）がクリップの役をなし滑り止めの役をする構造。
【請求項７】
筆記具（１）の筆記具キャップ（２）とキャップ鋏の両者を結合し、携態を安易にした合体構造。
【考案の詳細な説明】
【０００１】
【考案の属する技術分野】
本考案は刃物の鋏の分野に関するもので鋏は殆ど単体で中にはナイフの一部として存在しているが、刃物の鋏分野に属します。
【０００２】
【従来の技術】
従来、鋏は紙、髪の毛、布、ブリキ、等専用の物が多く、それぞれの切断物に応じた鋏の製作方法が有ります。
【０００３】
【考案が解決しようとする課題】
従来の鋏の型では単体で携帯すると洋服のポケットを刃先で傷める怖れが有ったが、安全で危険を防止し常時安易に携帯する事が出来る事。
【０００４】
簡単に誰でも操作出来て丈夫な結合が出来る、筆記具キャップ（２）とキャップ鋏の簡易結合方法。
【０００５】
簡単に使用出来るよう携帯状態から使用状態に、又使用状態から収納が簡易で有る事。
【０００６】
携帯に安全で危険の無い事。
【０００７】
製作に安易でコストが低く形状の良い事。
【０００８】
【課題を解決するための手段】
通常鋏を単体で携態する男性は非常に少ないが、最近食品の包装にポリ袋など包装紙が丈夫で手で破るのが困難だか、本考案のキャップ鋏は小さいが破口を作るのには非常に便利だし書簡の開封が容易に出来るもので、筆記具を携態する人は殆どだ、故に筆記具（１）と本考案のキャップ鋏を結合し図９の様に鋏の携態を安易にしました、又本考案のキャップ鋏は筆記具（１）を胸ポケットに挿したとき上部握把（８）がクリップの役をなし滑り止めの役をする物のです、又筆記具（１）ボールペンなど不良に成った時は脱着容易で新品の筆記具（１）に取替え使用出来るものです。
【０００９】
本考案のキャップ鋏は図５のように下部握把（９）及び鋏取り付け金具（３）（４）の如く一枚鉄板を抜き、各図の様に鋏取り付け金具（３）（４）を筆記具キャップ（２）に図４の如く包む様に折り曲げると材質が鋼材なのである程度のスプリング効果が有り脱着が容易で筆記具キャップ（２）とキャップ鋏の結合が簡易で有る。
【００１０】
本考案のキャップ鋏は開き止め金物（５）は図４、５の様に上下握把（８）（９）に沿って移動するもので、開き止め金物（５）の左右側面を軽く摘み、開く時は開き止め金物（５）を上部握把（８）の幅の細い部分まで移動すると、開き止め金物（５）の止め金部分（６）がはずって図５、８の状態になり鋏として使用出来るようになり、収納時は上部握把（８）を親指で押さえて閉じ、開き止め金物（５）を上部握把（８）の止め金部分（６）が掛かる幅の広い部分まで移動する事で安易に収納出来る。
【００１１】
本考案のキャップ鋏は常時安易に携帯出来き、従来の鋏の型では単体で携帯すると洋服のポケットを刃先（７）で傷める怖れが有ったが、図２の様に刃先を丸型（７）にして安全で危険を防止しに万全の対策を施した物で、筆記具（１）と共に胸ポケットに挿しても刃先（７）が丸型なので傷める怖れを解決した。
又開き止め金物（５）が図９の如くポケットに挿す事でポケットの淵が上部握把（８）と下部握把（９）に入るので開き止め金物（５）が移動出来ずキャップ鋏が開く事は出来ないので安全で安易に携帯出来る。
【００１２】
キャップに取り付けるのに従来の鋏其のまま側面的に取り付けた場合は使用に大変不便で使用使ぬくいし止め金部分（６）が不可能でデザインも悪い、又従来の平面的鋏では平面の鉄板をプレスした場合は手軽な型にすれば握把が細く成り弱いので肝心な鋏の用が成さない、平面の鉄板をプレスで抜き９０度捻る工法にして手軽や止め金部分（６）の処理などコスト安価で、デザインも良く大量製産出来る様に解決しました。
【００１３】
【考案の実施の形態】
本考案の実施の形態について図面を参照して説明する。
図８の様に開き止め金物（５）を移動して止め金部分（６）を外し鋏を開き、筆記具（１）を親指異外の四本の指で握り、上部握把（８）を親指で押さえる様にして使用する、又収納は上部握把（８）を親指で押さえ開き止め金物（５）を上部握把（８）の幅の広い所まで移動し開き止め金物（５）の止め金部分（６）を掛る、携帯は図９の様に不感を覚えずに洋服の胸ポケットに挿す事が出来る。
【００１４】
【考案の効果】
本考案は、従来から筆記具（１）は必需品として誰でも携帯して居る物で、其れに無理無く結合して居るので携帯に便利で、常時必要時に使用出来る鋏である。
【００１５】
本考案は、食品のポリ袋など手で簡単に破けない包装紙の開封や書簡の開封を容易に出来て使用し易い。
【図面の簡単な説明】
【図１】平面図
【図２】正面図
【図３】左右側面図
【図４】鋏取り付け金具詳細図
【図５】握把、開き止め金物詳細図
【図６】鋏抜き身の平面図
【図７】開き止め金物の正、平、側面図
【図８】本考案のキャップ鋏の使用姿図
【図９】キャップ鋏の携帯姿図
【符号の説明】
１    筆記具
２    筆記具キャップ
３    鋏取り付け金具
４    鋏取り付け金具
５    開き止め金物
６    止め金部分
７    刃先
８    上部握把
９    下部握把
１０    かしめビス
１１    板スプリング
【図１】
0003100637.tif 000003
【図２】
0003100637.tif 000004
【図３】
0003100637.tif 000005
【図４】
0003100637.tif 000006
【図５】
0003100637.tif 000007
【図６】
0003100637.tif 000008
【図７】
0003100637.tif 000009
【図８】
0003100637.tif 000010
【図９】
0003100637.tif 000011
【手続補正書】
【提出日】平成15年7月14日(2003.7.14)
【手続補正２】
【補正対象書類名】明細書
【補正対象項目名】実用新案登録請求の範囲
【補正方法】変更
【補正の内容】
【実用新案登録請求の範囲】
【請求項１】
本考案のキャップ鋏は、小型鋏で装飾品を兼ね、包装袋の開封等に扱うもので、筆記具キャップ（２）に、下部握把（９）と一体の取り付け金具（３）（４）にて取り付けて、筆記具を鋏の下部握把（９）の補助具として、筆記具（１）を親指異外の四本の指で握り、上部握把（８）を親指で押さえる様にして使用するキャップ鋏
【請求項２】
キャップ鋏は刃先（７）の部分と、握把（８）（９）を、握把部のかしめ穴（７）の近くで、握把部分を９０度捻り、握把（８）（９）の内側の捻り場所近くの水平面の所に握把（９）に板スプリング（１１）をスポット溶接にて取り付けると握把（８）（９）は開き、同時に刃先（７）の部分も開き鋏として使用出来、又収納には握把（８）を親指で握ると握把（８）（９）は平行となり、開き止め金物（５）が簡単に移動出来て止め金部分（６）を操作する事が出来るものです。‥‥‥‥‥‥‥請求項１記載のキャップ鋏の構造。
【請求項３】
開き止め金物（５）は握把（８）（９）に沿って移動するもので、上部握把（８）の幅の細い部分まで移動すると開き止め金物（５）の止め金部分（６）の止め金がはずれて、板スプリング（１１）により開くので上記の様に使用出来る物であって、収納時は上部握把（８）を親指で押さえて閉じ、開き止め金物（５）を止め金部分（６）が掛かる上部握把（８）の幅の広い部分まで移動する事で安易に収納出来る請求項１記載のキャップ鋏の構造。
【請求項４】
キャップ鋏は、取り付け金具（３）（４）によってキャップ（２）に取り付けられ、鋏取り付け金具（３）（４）は金属なので、ある程度のスプリング効果が有り少し指で摘まむと、どの筆記具キャップ（２）にも脱着容易で、どの筆記具にも利用出来る請求項１記載のキャップ鋏の構造。
【請求項５】
キャップ鋏の刃先（７）は丸型にして装飾観を持たせ人体や着衣の損傷、その他携態に安全な危険防止をした請求項１記載のキャップ鋏の構造。
【請求項６】
キャップ鋏の上部握把（８）は筆記具（１）を胸ポケットに挿したとき、上部握把（８）がクリップの役をなし滑り止めの役をする請求項１記載のキャップ鋏の構造。
【請求項７】
筆記具（１）の筆記具キャップ（２）とキャップ鋏の両者を結合し、携態を安易にした合体請求項１記載のキャップ鋏の構造。
【手続補正書】
【提出日】平成15年10月14日(2003.10.14)
【手続補正１】
【補正対象書類名】明細書
【補正対象項目名】全文
【補正方法】変更
【補正の内容】
【実用新案登録請求の範囲】
【請求項１】本考案のキャップ鋏は、小型鋏で筆記具キャップ（２）に組みわせた物で、下部握把（９）に筆記具を補助具とし使用する物・・・・・・・・・・・・・・・・・・・・・・・・・・・・・・・・・・・・・・・・・・・・・・・・・キャップ鋏。
【請求項２】キャップ鋏は小型鋏で筆記具キャップ（２）に組みわせた物で、下部握把（９）に筆記具を補助具とし使用する物で、刃先（７）の部分と、握把（８）（９）を、握把部のかしめ穴（７）の近くで、握把部分を９０度捻り、握把（８）（９）の内側の捻り場所近くの水平面の所に握把（９）に板スプリング（１１）をスポット溶接にて取り付けると握把（８）（９）は開き、同時に刃先（７）の部分も開き握把（８）を親指で押すことで握把（８）（９）は平行となり、鋏として使用出来る・・・・・キャップ鋏。
【請求項３】キャップ鋏は小型鋏で筆記具キャップ（２）に組みわせた物で、下部握把（９）に筆記具を補助具とし使用する物で、開き止め金物（５）は握把（８）（９）に沿って移動するもので、上部握把（８）の幅の細い部分まで移動すると開き止め金物（５）の止め金部分（６）の止め金がはずれて、板スプリング（１１）により開くので鋏として使用出来る物であって、収納時は上部握把（８）を親指で押さえて閉じ、開き止め金物（５）を止め金部分（６）が掛かる場所の上部握把（８）の幅の広い部分まで移動する事で安易に収納出来る・・・・・・・・・・・・・・・・・・・・・・・・・・・・・・・・・・・・・・・・・・・・キャップ鋏。
【請求項４】キャップ鋏は小型鋏で筆記具キャップ（２）に組みわせた物で、下部握把（９）に筆記具を補助具とし使用する物で、取り付け金具（３）（４）によってキャップ（２）に取り付けられ、鋏取り付け金具（３）（４）は金属なので、ある程度のスプリング効果があり少し指で摘まむと、どの筆記具キャップ（２）にも脱着容易で、どの筆記具にも利用出来る・・・・・キャップ鋏。
【請求項５】キャップ鋏は小型鋏で筆記具キャップ（２）に組みわせた物で、下部握把（９）に筆記具を補助具とし使用する物で、刃先（７）は丸型にして装飾観を持たせ人体や着衣の損傷、その他携態に安全した・・・・・・・・・・・・・・・キャップ鋏。
【請求項６】キャップ鋏は小型鋏で筆記具キャップ（２）に組みわせた物で、下部握把（９）に筆記具を補助具とし使用する物で、上部握把（８）は筆記具（１）を胸ポケットに挿したとき、上部握把（８）がクリップの役をなし滑り止めの役をする・・・・・キャップ鋏。
【請求項７】キャップ鋏は小型鋏で筆記具キャップ（２）に組みわせた物で、下部握把（９）に筆記具を補助具とし使用する物で、筆記具（１）の筆記具キャップ（２）とキャップ鋏の両者を結合し、携態を安易にした合体機構にしたキャップ鋏。
【考案の詳細な説明】
【０００１】
本考案は刃物の鋏の分野に関するもので鋏は殆ど単体で中にはナイフの一部として存在しているが、刃物の鋏分野に属します。
【考案の属する技術分野】
【０００２】
【従来の技術】
従来、鋏は紙、髪の毛、布、ブリキ、等専用の物が多く、それぞれの切断物に応じた鋏の製作方法が有ります。
【０００３】
【考案が解決しようとする課題】
従来の鋏の型では単体で携帯すると洋服のポケットを刃先で傷める怖れが有ったが、安全で危険を防止し常時安易に携帯する事が出来る事。
【０００４】
簡単に誰でも操作出来て丈夫な結合が出来る、筆記具キャップ（２）とキャップ鋏の簡易結合方法。
【０００５】
簡単に使用出来るよう携帯状態から使用状態に、又使用状態から収納が簡易で有る事。
【０００６】
携帯に安全で危険の無い事。
【０００７】
製作に安易でコストが低く形状の良い事。
【０００８】
【課題を解決するための手段】
通常鋏を単体で携態する男性は非常に少ないが、最近食品の包装にポリ袋など包装紙が丈夫で手で破るのが困難だか、本考案のキャップ鋏は小さいが破口を作るのには非常に便利だし書簡の開封が容易に出来るもので、筆記具を携態する人は殆どだ、故に筆記具（１）と本考案のキャップ鋏を結合し図９の様に鋏の携態を安易にしました、又本考案のキャップ鋏は筆記具（１）を胸ポケットに挿したとき上部握把（８）がクリップの役をなし滑り止めの役をする物のです、又筆記具（１）ボールペンなど不良に成った時は脱着容易で新品の筆記具（１）に取替え使用出来るものです。
【０００９】
本考案のキャップ鋏は図５のように下部握把（９）及び鋏取り付け金具（３）（４）の如く一枚鉄板を抜き、各図の様に鋏取り付け金具（３）（４）を筆記具キャップ（２）に図４の如く包む様に折り曲げると材質が鋼材なのである程度のスプリング効果が有り脱着が容易で筆記具キャップ（２）とキャップ鋏の結合が簡易で有る。
【００１０】
本考案のキャップ鋏は開き止め金物（５）は図４、５の様に上下握把（８）（９）に沿って移動するもので、開き止め金物（５）の左右側面を軽く摘み、開く時は開き止め金物（５）を上部握把（８）の幅の細い部分まで移動すると、開き止め金物（５）の止め金部分（６）がはずって図５、８の状態になり鋏として使用出来るようになり、収納時は上部握把（８）を親指で押さえて閉じ、開き止め金物（５）を上部握把（８）の止め金部分（６）が掛かる幅の広い部分まで移動する事で安易に収納出来る。
【００１１】
本考案のキャップ鋏は常時安易に携帯出来き、従来の鋏の型では単体で携帯すると洋服のポケットを刃先（７）で傷める怖れが有ったが、図２の様に刃先を丸型（７）にして安全で危険を防止しに万全の対策を施した物で、筆記具（１）と共に胸ポケットに挿しても刃先（７）が丸型なので傷める怖れを解決した。
又開き止め金物（５）が図９の如くポケットに挿す事でポケットの淵が上部握把（８）と下部握把（９）に入るので開き止め金物（５）が移動出来ずキャップ鋏が開く事は出来ないので安全で安易に携帯出来る。
【００１２】
キャップに取り付けるのに従来の鋏其のまま側面的に取り付けた場合は使用に大変不便で使用使ぬくいし止め金部分（６）が不可能でデザインも悪い、又従来の平面的鋏では平面の鉄板をプレスした場合は手軽な型にすれば握把が細く成り弱いので肝心な鋏の用が成さない、平面の鉄板をプレスで抜き９０度捻る工法にして手軽や止め金部分（６）の処理などコスト安価で、デザインも良く大量生産出来る様に解決しました。
【００１３】
【考案の実施の形態】
本考案の実施の形態について図面を参照して説明する。
図８の様に開き止め金物（５）を移動して止め金部分（６）を外し鋏を開き、筆記具（１）を親指異外の四本の指で握り、上部握把（８）を親指で押さえる様にして使用する、又収納は上部握把（８）を親指で押さえ開き止め金物（５）を上部握把（８）の幅の広い所まで移動し開き止め金物（５）の止め金部分（６）を掛る、携帯は図９の様に不感を覚えずに洋服の胸ポケットに挿す事が出来る。
【００１４】
【考案の効果】
本考案は、従来から筆記具（１）は必需品として誰でも携帯して居る物で、其れに無理無く結合して居るので携帯に便利で、常時必要時に使用出来る鋏である。
【００１５】
本考案は、食品のポリ袋など手で簡単に破けない包装紙の開封や書簡の開封を容易に出来て使用し易い。
【図面の簡単な説明】
【図１】平面図
【図２】正面図
【図３】左右側面図
【図４】鋏取り付け金具詳細図
【図５】握把、開き止め金物詳細図
【図６】鋏抜き身の平面図
【図７】開き止め金物の正、平、側面図
【図８】本考案のキャップ鋏の使用姿図
【図９】キャップ鋏の携帯姿図
【符号の説明】
１    筆記具
２    筆記具キャップ
３    鋏取り付け金具
４    鋏取り付け金具
５    開き止め金物
６    止め金部分
７    刃先
８    上部握把
９    下部握把
１０  かしめビス
１１  板スプリング